(57)【要約】【課題】ビデオ入力に接続された複数の外部コンテンツ機器の中から、簡単に所望の機器を選んで選択できるプロジェクタを提供する。【解決手段】操作パネル５０の各ビデオ入力端子５１ａ〜５１ｆの近傍に、そのビデオ入力端子５１ａ〜５１ｆに接続される外部コンテンツ機器を選択するための複数のソース選択ボタン５２ａ〜５２ｆがそれぞれ配列されている。また、リモートコントローラ１６に配置されているソース選択ボタン６１ａ〜６１ｆは、操作パネルに配置されている端子配列と同様とされ、また、ソース選択ボタン６１ａ〜６１ｆの形状は、ビデオ入力端子５１ａ〜５１ｆの形状に似せて表示されている。【選択図】図２
2009222967.tif 000002
【特許請求の範囲】
【請求項１】
操作パネルに配設され、複数の外部コンテンツ機器が接続される複数の入力端子と、
前記各入力端子の近傍に位置して前記操作パネルにそれぞれ配設され、接続した前記外部コンテンツ機器の任意の１を選択するための複数の選択ボタンと、を備えたことを特徴とするプロジェクタ。
【請求項２】
前記操作パネルに設けられ、前記各入力端子と前記各入力端子に対応する前記各選択ボタンとを対応付ける画像を、更に備えたことを特徴とする請求項１に記載のプロジェクタ。
【請求項３】
前記複数の入力端子が、前記複数の選択ボタンを兼ねていることを特徴とする請求項１または２に記載のプロジェクタ。
【請求項４】
操作パネルに配設され、複数の外部コンテンツ機器が接続される複数の入力端子を有するプロジェクタ本体と、
前記プロジェクタ本体を遠隔操作すると共に、接続された前記複数の外部コンテンツ機器の任意の１を選択するための複数の選択ボタンを有するリモートコントローラと、を備え、
前記リモートコントローラは、前記複数の選択ボタンが配設されると共に前記操作パネルに似せてデザインされた選択パネル部を、有していることを特徴とするプロジェクタ。
【発明の詳細な説明】
【技術分野】
【０００１】
本発明は、複数の外部コンテンツ機器が接続される複数の入力端子を有するプロジェクタに関するものである。
【背景技術】
【０００２】
プロジェクタには、ディジタルＲＧＢ信号、アナログＲＧＢ信号、コンポーネントカラービデオ信号、Ｓビデオ信号、コンポジットカラービデオ信号等、多数のビデオ入力端子が搭載されている（例えば特許文献１）。プロジェクタを使用する際には、これらの多数のビデオ入力端子に接続されたビデオソース機器の中から所望の機器を選ぶ必要がある。従来のプロジェクタでは、本体の操作パネルやリモートコントローラに、これらのビデオ入力端子を選択するための操作ボタンが並んで配置されており、この操作ボタンを押して、ビデオソースの選択を行っている。また、ソース選択ボタンが設けられ、このソース選択ボタンを押す毎に、選択されるビデオソースが切り替わっていくものも知られている。
【特許文献１】特開２０００−０５６３９２号公報
【発明の開示】
【発明が解決しようとする課題】
【０００３】
ところが、従来のプロジェクタでは、ビデオソースを選択するための操作ボタン配置は、映像機器に配置されるビデオ端子の配置とは、物理的に関係付けられていない。このため、どのビデオ機器が選択されているのか直感的に認識し難い問題があった。特に、プロジェクタは、プレゼンテーション会場に持ち込み、その場で機器の設定を行い、コンピュータのプレゼンテーション画面を映し出したり、ＶＴＲの再生画面を写し出したりして、使用されることが多い。かかる場合、ビデオ端子とそこに接続されるビデオ機器との関係がその場で変更されることが良くあり、どのビデオ機器が選択されているのか直感的に認識できることが望まれる。特許文献１のように、ソース選択ボタンを押す毎に、選択されるビデオソースが切り替わっていくものでは、どのビデオ機器が選択されているのか直感で認識し難く、所望のビデオ機器を選択するのに、何度もボタンを押さなければならず、操作が煩雑であった。
【０００４】
本発明は、ビデオ入力に接続された複数の外部コンテンツ機器の中から、簡単に所望の機器を選んで選択できるプロジェクタを提供することを課題としている。
【課題を解決するための手段】
【０００５】
本発明のプロジェクタは、操作パネルに配設され、複数の外部コンテンツ機器が接続される複数の入力端子と、各入力端子の近傍に位置して操作パネルにそれぞれ配設され、接続した外部コンテンツ機器の任意の１を選択するための複数の選択ボタンとを備えたことを特徴とする。
【０００６】
この構成によれば、複数の入力端子の近傍に複数の選択ボタンが配設されているため、ビデオ入力に接続された複数の外部コンテンツ機器の中から、簡単に（直感的に）所望の機器を選んで選択することができる。
【０００７】
この場合、操作パネルに設けられ、各入力端子と各入力端子に対応する各選択ボタンとを対応付ける画像を、更に備えることが好ましい。
【０００８】
この構成によれば、操作パネルと各入力端子とが対応しているので、ビデオ入力に接続された複数の外部コンテンツ機器の中から所望の機器を、簡単に選択することができる。
【０００９】
これらの場合、複数の入力端子が、複数の選択ボタンを兼ねていることが好ましい。
【００１０】
この構成によれば、複数の入力端子が複数の選択ボタンを兼ねているので、ビデオ入力に接続された複数の外部コンテンツ機器の中から所望の機器を、誤り無く簡単に選択することができる。
【００１１】
本発明の他のプロジェクタは、操作パネルに配設され、複数の外部コンテンツ機器が接続される複数の入力端子を有するプロジェクタ本体と、プロジェクタ本体を遠隔操作すると共に、接続された複数の外部コンテンツ機器の任意の１を選択するための複数の選択ボタンを有するリモートコントローラとを備え、リモートコントローラは、複数の選択ボタンが配設されると共に操作パネルに似せてデザインされた選択パネル部を、有していることを特徴とする。
【００１２】
この構成によれば、リモートコントローラは、複数の選択ボタンが配設されると共に操作パネルに似せてデザインされた選択パネル部を有しているので、ビデオ入力に接続された複数の外部コンテンツ機器の中から所望の機器を、簡単に選択することができる。
【発明を実施するための最良の形態】
【００１３】
以下、本発明の一実施形態に係るプロジェクタについて、図面を参照しながら説明する。図１は、本発明の第１実施形態のプロジェクタの全体構成を示すブロック図である。図１において、システムコントローラ１１は、装置全体の制御を行うものであり、システムコントローラ１１に対して、ＦＲＯＭ（Flash Read Only Memory）１２およびＲＡＭ（Random Access Memory）１３が設けられている。システムコントローラ１１は、ＣＰＵ（Central Processing Unit）等で構成される。ＦＲＯＭ１２には、制御プログラムの他、各種の設定値が保存され、またＲＡＭ１３には、処理の実行で必要な一時データが読み出し／書き込みされる。
【００１４】
システムコントローラ１１には、入力部１４から入力が与えられ、入力部１４は、ユーザからの操作の入力を受け付ける複数のキーなどにより構成されている。また、システムコントローラ１１には、受光部１５を介して、リモートコントローラ１６からのコマンド信号が与えられる。さらに、システムコントローラ１１には、通信部１７が接続されており、システムコントローラ１１は、この通信部１７を介して、外部の機器との間でデータのやり取りを行うと共に、外部の機器との連携操作を行う。また、システムコントローラ１１には、各種の設定状態や警告表示を行うためのＬＥＤ(Light Emitting Diode)表示部１８が接続されている。
【００１５】
光学ユニット２０は、入力ビデオ信号に基づく映像を投射するための光学系を構成している。光学ユニット２０は、光源となるランプ２１と、レンズ２３と、ダイクロイックミラー２４ａ、２４ｂ、２４ｃと、ミラー２５ａ、２５ｂと、液晶パネル２６ａ、２６ｂ、２６ｃと、合成プリズム２７と、投射レンズ２８と、を備えている。
【００１６】
ランプ２１は、例えばメタルハライドランプであり、ランプ２１には、ランプ制御部２２から点灯駆動信号が送られる。これにより、ランプ２１は、システムコントローラ１１の制御の基に、白色光を照射する。ランプ２１からの光は、レンズ２３を透過して出射される。ランプ２１からの光のうち赤色の成分は、Ｒ反射ダイクロイックミラー２４ａで反射され、ミラー２５ａを介して、液晶パネル２６ａに照射される。同様に、ランプ２１からの光のうち緑色の成分は、Ｇ反射ダイクロイックミラー２４ｂで反射され、液晶パネル２６ｂに照射される。更に、ランプ２１からの光のうち青色の成分は、Ｂ反射ダイクロイックミラー２４ｃで反射され、ミラー２５ｂを介して、液晶パネル２６ｃに照射される。
【００１７】
液晶パネル２６ａ、２６ｂ、２６ｃは、それぞれ、Ｒ、Ｇ、Ｂの各色の像を形成するためのものである。各液晶パネル２６ａ、２６ｂ、２６ｃには、液晶コントローラ４８から、Ｒ、Ｇ、Ｂ各色のビデオ信号が供給される。液晶パネル２６ａ、２６ｂ、２６ｃの各画素の透過率は、液晶コントローラ４８からの各色のビデオ信号により変化する。各色の液晶パネル２６ａ、２６ｂ、２６ｃの通過光は、合成プリズム２７で合成され、投射レンズ２８を介して、スクリーン２９上に投影される。
【００１８】
投射レンズ２８のレンズ位置は、レンズ駆動モータ３０により調整可能に構成されている。レンズ駆動部３１には、システムコントローラ１１から駆動信号が供給され、レンズ駆動モータ３０は、この駆動信号により、システムコントローラ１１の制御の基に、駆動される。
【００１９】
ソース信号入力部４１には、ディジタルＲＧＢ信号、アナログＲＧＢ信号、コンポーネントカラービデオ信号、Ｓビデオ信号、コンポジットカラービデオ信号等、複数種類のビデオ入力端子５１ａ〜５１ｆが配列されている。
【００２０】
ここで、ＲＧＢ信号は、赤（Ｒ）色と、緑（Ｇ）色と、青（Ｂ）色との各要素からなるビデオ信号である。コンポーネントカラービデオ信号は、輝度信号（Ｙ）と、青色色差信号（Ｂ−Ｙ）及び赤色（Ｒ−Ｙ）との各要素からなるビデオ信号（Ｙ，Ｃｂ，Ｃｒ）又は（Ｙ，Ｐｂ，Ｐｒ）である。Ｓビデオ信号は、輝度信号（Ｙ）とクロマ信号（Ｃ）とを分離したビデオ信号である。コンポジットカラービデオ信号は、ＮＴＳＣ（National Television System Committee）方式、ＰＡＬ（Phase Alternating Line）方式、ＳＥＣＡＭ（SEquential Couleur A Memoire）方式のように、輝度信号（Ｙ）とクロマ信号（Ｃ）とを複合したビデオ信号である。
【００２１】
このように、ソース信号入力部４１には、複数種類のビデオ入力端子５１ａ〜５１ｆが配列されており、ユーザは、複数の外部コンテンツ機器を選択することができるようになっている。
【００２２】
本実施形態のプロジェクタにおいては、操作パネルの各ビデオ入力端子５１ａ〜５１ｆの近傍に、そのビデオ入力端子５１ａ〜５１ｆに接続される外部コンテンツ機器を選択するための複数のソース選択ボタンがそれぞれが配列されている（詳細は、後述する）。そして、システムコントローラ１１では、このソース選択ボタンからの信号に基づいて、ソース信号入力部４１に入力された各種のビデオ信号の中から、所望の信号が選択される。
【００２３】
また、入力部１４やリモートコントローラ１６によっても、映像ソースの切り替えを行うことができる。後述するように、入力部１４やリモートコントローラ１６に配置されているソース選択ボタンは、操作パネルに配置されている端子配列と同様とされている。また、ソース選択ボタンの形状は、ビデオ入力端子５１ａ〜５１ｆの形状に似せて表示されている。これにより、ユーザは、どの映像ソースを選択したかを直感的に判断できるようになっている。
【００２４】
ソース信号入力部４１で選択されたビデオ信号は、入力映像変換部４２に送られる。入力映像変換部４２は、アナログの入力信号をディジタル化するＡ／Ｄ(Analog to Digital)変換部や、コンポジットカラービデオ信号からＲＧＢコンポーネントカラービデオ信号をデコードするデコーダ等を備えており、ソース信号入力部４１から送られてきた各種のビデオ信号を、所定の形式、例えばディジタルＲＧＢ信号に変換する。入力映像変換部４２からのビデオ信号は、イメージプロセッサ４５に送られる。
【００２５】
イメージプロセッサ４５は、入力ビデオ信号に対して、液晶パネル２６ａ、２６ｂ、２６ｃの画素数に応じたスケーリング処理を行う。また、イメージプロセッサ４５は、台形歪み等を補正するためのキーストーン補正を行う。イメージプロセッサ４５に対して、フレームメモリ４６が設けられており、スケーリング処理やキーストーン補正処理は、フレームメモリ４６を用いて行われる。また、イメージプロセッサ４５において、入力ビデオ信号に対して、液晶の面ムラ補正や、ガンマ補正処理等が行われる。
【００２６】
ＯＳＤ（On Screen Display）発生部４７は、システムコントローラ１１からの制御の基に、各種の表示信号を生成する。この表示信号は、イメージプロセッサ４５に送られ、投射するビデオ信号に合成される。イメージプロセッサ４５からの出力信号は、液晶コントローラ４８に送られる。液晶コントローラ４８は、液晶パネル２６ａ、２６ｂ、２６ｃを駆動するための各種のタイミング信号を生成する。また、液晶コントローラ４８は、ＲＧＢ各色のビデオ信号を各画素毎にＤ／Ａ変換し、交流駆動を行うために、正極性のビデオ信号と負極性のビデオ信号を生成する。液晶コントローラ４８からの各色のビデオ信号は、液晶パネル２６ａ、２６ｂ、２６ｃにそれぞれ供給される。
【００２７】
ランプ２１からの光のうち、赤色の成分は、Ｒ反射ダイクロイックミラー２４ａ、ミラー２５ａを介して、液晶パネル２６ａに照射され、緑色の成分は、Ｇ反射ダイクロイックミラー２４ｂを介して、液晶パネル２６ｂに照射され、青色の成分は、Ｂ反射ダイクロイックミラー２４ｃ、ミラー２５ｂを介して、液晶パネル２６ｃに照射されている。液晶パネル２６ａ、２６ｂ、２６ｃの各画素の透過率は、液晶コントローラ４８からの各色のビデオ信号により変化する。各色の液晶パネル２６ａ、２６ｂ、２６ｃの通過光は、合成プリズム２７で合成され、入力ビデオ信号に基づく光画像が形成される。この光画像は、投射レンズ２８を介して、スクリーン２９に投影される。
【００２８】
前述したように、本実施形態のプロジェクタにおいては、操作パネル５０の各ビデオ入力端子５１ａ〜５１ｆの近傍に、そのビデオ入力端子５１ａ〜５１ｆに接続される外部コンテンツ機器を選択するための複数のソース選択ボタン５２ａ〜５２ｆそれぞれが配列されている。すなわち、図２に示すように、プロジェクタの背面の操作パネル５０は、操作領域５０ａ〜５０ｆに分割されている。
【００２９】
操作領域５０ａには、ディジタルＲＧＢビデオの入力端子５１ａが配列されている。ディジタルＲＧＢビデオの入力端子５１ａは、コンピュータのディジタルＲＧＢ映像信号を入力する端子で、例えばＤＶＩ（Digital Visual Interface）コネクタにより構成されている。また、操作領域５０ａには、ディジタルＲＧＢビデオの入力端子５１ａの近傍に、ディジタルＲＧＢビデオの入力端子５１ａに接続された機器を選択するためのソース選択ボタン５２ａが配設されている。
【００３０】
操作領域５０ｂには、アナログＲＧＢビデオの入力端子５１ｂが配列されている。アナログＲＧＢビデオの入力端子５１ｂは、コンピュータのアナログＲＧＢ信号やビデオ機器のＲＧＢ信号を入力する端子で、例えば、Ｄ−Ｓｕｂコネクタにより構成されている。操作領域５０ｂには、アナログＲＧＢビデオの入力端子５１ｂの近傍に、アナログＲＧＢビデオの入力端子５１ｂにそれぞれ接続された機器を選択するためのソース選択ボタン５２ｂが配設されている。
【００３１】
操作領域５０ｃには、アナログＲＧＢビデオの入力端子５１ｃが配列されている。また、操作領域５０ｃには、アナログＲＧＢビデオの入力端子５１ｃの近傍に、アナログＲＧＢビデオの入力端子５１ｃに接続された機器を選択するためのソース選択ボタン５２ｃが配設されている。
【００３２】
操作領域５０ｄには、コンポーネントカラービデオの入力端子５１ｄが配列されている。コンポーネントカラービデオの入力端子５１ｄは、コンピュータのアナログＲＧＢ信号やビデオ機器のＲＧＢビデオ信号、色差コンポーネントカラービデオ信号を入力する端子で、ＢＮＣコネクタにより構成されている。操作領域５０ｄには、コンポーネントカラービデオの入力端子５１ｄの近傍に、コンポーネントカラービデオの入力端子５１ｄに接続された機器を選択するためのソース選択ボタン５２ｄが配設されている。
【００３３】
操作領域５０ｅには、Ｓビデオの入力端子５１ｅが配列されている。Ｓビデオの入力端子５１ｅは、ビデオ機器のＳビデオ信号を入力する端子で、Ｓビデオコネクタにより構成されている。操作領域５０ｅには、Ｓビデオの入力端子５１ｅの近傍に、Ｓビデオの入力端子５１ｅに接続された機器を選択するためのソース選択ボタン５２ｅが配設されている。
【００３４】
操作領域５０ｆには、コンポジットカラービデオの入力端子５１ｆが配列されている。コンポジットカラービデオの入力端子５１ｆは、ビデオ機器のコンポジットカラービデオ信号を入力する端子で、ＲＣＡコネクタにより構成されている。操作領域５０ｆには、コンポジットカラービデオの入力端子５１ｆの近傍に、コンポジットカラービデオの入力端子５１ｆに接続された機器を選択するためのソース選択ボタン５２ｆが配設されている。
【００３５】
このように、操作パネル５０の各操作領域５０ａ〜５０ｆには、各ビデオ入力端子５１ａ〜５１ｆの近傍に、その入力端子に接続されたコンテンツ機器を選択するためのソース選択ボタン５２ａ〜５２ｆが設けられている。このため、ユーザは、どの映像ソースを選択したかを、直感的に判断することができる。なお、各ソース選択ボタン５２ａ〜５２ｆは、ＯＮ／ＯＦＦをランプ表示するタイプのものであることが、好ましい。
【００３６】
また、本実施形態のプロジェクタにおいては、入力部１４やリモートコントローラ１６に配置されているソース選択ボタンは、実際に操作パネルに配置されている端子配列と同様に配設されている。図３に示すように、リモートコントローラ１６のソース選択ボタン６１ａ〜６１ｆの配置は、プロジェクタの背面の操作パネル５０の各操作領域５０ａ〜５０ｆに配置されている入力端子５１ａ〜５１ｆの配置と同様である。また、各ソース選択ボタン６１ａ〜６１ｆには、その入力端子５１ａ〜５１ｆの形状に似せたデザインの表示６２ａ〜６２ｆが設けられている。このため、ユーザは、どの映像ソースを選択したかを直感的に判断することができる。
【００３７】
なお、上述の例では、操作パネル５０の各操作領域５０ａ〜５０ｆに各入力端子５１ａ〜５１ｆを配置し、各操作領域５０ａ〜５０ｆの各入力端子５１ａ〜５１ｆ近傍に、その入力端子５１ａ〜５１ｆに接続される外部コンテンツ機器を選択するための複数のソース選択ボタン５２ａ〜５２ｆそれぞれが配列しているが、図４に示すように、各入力端子５１ａ〜５１ｆが配列される端子盤５５の横に操作パネル５６を設け、この操作パネル５６に複数のソース選択ボタン５２ａ〜５２ｆを配列しても良い。
【００３８】
また、上述の例では、入力されるビデオ信号の種類として、ディジタルＲＧＢ信号、アナログＲＧＢ信号、コンポーネントカラービデオ信号、Ｓビデオ信号、コンポジットカラービデオ信号を想定し、各種類のビデオ入力端子５１ａ〜５１ｆを配列しているが、ビデオ信号の種類や入力端子の種類はこれに限定されるものではない。ＩＥＥＥ１３９４やＵＳＢ端子のようなディジタルインターフェースでビデオ信号を入力する場合にも同様に適用できる。また、ＳＤカード等の記録媒体を装着してビデオ信号を入力する場合にも同様に適用できる。
【００３９】
図５は、本発明の第２実施形態を示すものであり、この実施形態では、入力端子のコネクタ自身がソース選択ボタンを兼ねた構造となっている。すなわち、図５（Ａ）に示すように、映像ソースが装着される入力端子のコネクタ１５１ａ、１５１ｂ、１５１ｃは、プッシュスイッチの形態を有しており、プラグ１５２ａ、１５２ｂ、１５２ｃを押し込むことで、ＯＮ／ＯＦＦされるソース選択ボタンを兼ねた構造となっている。
【００４０】
ここで、図５（Ａ）に示すように、コネクタ１５１ａに装着されたプラグ１５２ａが中まで押し込まれていて、コネクタ１５１ｂ、１５１ｃに装着されたプラグ１５２ｂ、１５２ｃが外部に飛び出している状態であるとする。この状態では、コネクタ１５１ａの入力端子の映像ソースが選択される。このように、ビデオ入力端子のコネクタとして、自身がソース選択ボタンを兼ねた構造とすると、選択されたソースが一見して認識することができる。
【図面の簡単な説明】
【００４１】
【図１】本発明の第１実施形態に係るプロジェクタの内部構成を示すブロック図である。
【図２】第１実施形態のソース選択ボタン廻りの構造を表した説明図である。
【図３】リモートコントローラのソース選択ボタン廻りの構造を表した説明図である。
【図４】第１実施形態の変形例に係るソース選択ボタン廻りの構造を表した説明図である。
【図５】第２実施形態のソース選択ボタン廻りの構造を表した説明図である。
【符号の説明】
【００４２】
１１：システムコントローラ  １４：入力部  １５：受光部  １６：リモートコントローラ  ５０：操作パネル  ５０ａ〜５０ｆ：操作領域  ５１ａ〜５１ｆ：入力端子  ５２ａ〜５２ｆ：ソース選択ボタン  ５５：端子盤  ５６：操作パネル  ６１ａ〜６１ｆ：ソース選択ボタン  １５１ａ〜１５１ｃ：コネクタ  １５２ａ〜１５２ｃ：プラグ
【図１】
2009222967.tif 000003
【図２】
2009222967.tif 000004
【図３】
2009222967.tif 000005
【図４】
2009222967.tif 000006
【図５】
2009222967.tif 000007